(57)【特許請求の範囲】
【請求項１】
ヒーター加熱式給湯器の貯湯タンクに対し、ヒーターを取り外し、その代わりにフランジ付き熱水導入パイプを取り付けて、ヒートポンプユニットからの熱水を貯湯タンク内に導入する際、貯湯タンク内にパイプを通して高温水を高温域に到るように配管するヒーター加熱式給湯器の再生施工工法。
【発明の詳細な説明】
【技術分野】
【０００１】
本発明は、貯湯タンクを備えたヒーター加熱式の給湯器（給湯機、温水器等）を貯湯タンク等を廃棄することなくそのまま使用して電気使用量をヒーター加熱式で使用していた際の３分の１程度に少なくすることができる給湯器の再生施工工法に関するものである。
【背景技術】
【０００２】
住宅等における給湯設備としてヒーター加熱式の給湯器が一般に普及している。これはタンク内にヒーターを設けて電源から供給される電気により水が温められる簡単な構造である。温水は対流の関係からタンク上部から取り出される構造が殆どである。ヒーター加熱式以外にも加熱源の種類によって水を温める給湯器があり、構造が異なるが概ねタンクの下部から加熱されて高温になった湯水が上部に貯まるようになっている。
【０００３】
一般に普及しているヒーター加熱式の給湯器が故障したとか、ほぼ２０年の耐用年数を経過した場合や、電気料金が高い等の理由で給湯器全体を交換しなければならない事情が発生する。その場合、大きなタンクを備えた給湯器全体を撤去する必要がある。しかし、給湯器の処分は容易ではない。その理由は大きなタンクがステンレス製であったり、ケーシングや付属品、配管類が鉄、プラスチック、保温材等の各種素材からなり、処分が容易にできないし、費用がかかるなどの難点があった。
【０００４】
一般に使用電気料金が高いヒーター加熱式の各種機器は、深夜料金中に稼動させるとか、ヒートポンプ式に切り替えることによって時間帯によって使用電気料金を減らす努力が過去になされている。給湯器においても例えば特開2006-46773号にみられる。しかし、住宅における給湯設備としてはタンク内にヒーター加熱のための設備に加え、ヒートポンプからの循環路を加えるなどコスト高となる問題があった。
【０００５】
この改善策として、時間帯によって使用電気量を減らす努力がされるなど、装置は複雑になり、さらに大きくなったり、高価になり、制御も複雑になる難点があった。
【先行技術文献】
【特許文献】
【０００６】
【特許文献１】特開2006-46773号公報
【発明の概要】
【発明が解決しようとする課題】
【０００７】
解決しようとする問題点は、既存のヒーター加熱式の給湯器を老朽化、節電等により換える事情が生じた場合に、安価、かつ短期で施工できるヒーター加熱式給湯器の再生施工工法を提供することにある。
【課題を解決するための手段】
【０００８】
本発明は、通電によって貯湯タンク内を電熱ヒーターで加熱するヒーター加熱式給湯器の老朽化廃棄や節電のための交換に際して、高価な貯湯タンクを残して用い、ヒートポンプユニットからの熱水を貯湯タンク内の高温域に到るように施工することを最も主要な特徴とする。ここにいうヒートポンプユニットからの熱水を貯湯タンク内の高温域まで導入するとは、電気温水器の上部にある給湯用高温水取り出し口付近にヒートポンプからの熱水口を直接接続して熱水を導入しても良いし、従来から使用されていた電熱ヒーターホルダ等に改良を加えて、従来の貯湯タンクにヒートポンプユニットからの熱水を導入することを可能にするパイプ等を付設することが好ましく、タンク内外の取り付けフランジ等電熱ヒーターホルダサイズと同寸にすることが適当である。
【０００９】
貯湯タンク内のヒートポンプユニットからの熱水導入パイプの高熱水導入口側は貯湯タンクの温水取り出し口付近の高温域に設けるのが好ましく、低温水排出口側よりも高位置に設けることによって温水取り出し口付近の高温域までの湯温度低下が防止される。
【００１０】
また、貯湯タンク内のヒートポンプユニットからの熱水導入パイプを熱が伝わり難い断熱材、例えば複層の合成樹脂、独立気泡を有する発泡体等が好ましく、単に低熱伝導度の合成樹脂パイプでもよい。熱水導入パイプを低熱伝導構造にすることなどによって、タンク下部の低温域を熱水が通過するときに熱交換することを防いで特に高温域の熱損失を防止できる。
【発明の効果】
【００１１】
本発明のヒーター加熱式給湯器の再生施工工法によると、老朽化廃棄や節電のための交換に際し、ヒーター加熱式の給湯器の貯湯タンク等を用いて簡単にヒートポンプ式の給湯器に換えることができる。当然のことであるが、ヒーター加熱式の給湯器が有しているヒーターの電源入切制御もヒートポンプ式給湯器の制御に用いることができるので短期間で安価に施工できる。本発明の再生施工工法によって使用電気量を約３分の１に大幅に減らすことができる給湯器へ再生することが可能となった。
【００１２】
ヒートポンプユニットからの熱水導入パイプの高熱水導入口側を低温水排出口側よりも高位置に設け、更に、貯湯タンク内のヒートポンプユニットからの熱水導入パイプを低熱伝導構造にすることなどによって、タンク下部の低温域を熱水が通過するときに熱交換することを防いで特に高温域の熱損失を防止できるという利点がある。
【図面の簡単な説明】
【００１３】
【図１】図１は本発明のヒーター加熱式給湯器の再生施工工法の実施例１を示した説明図である。
【図２】図２は本発明のヒーター加熱式給湯器の再生施工工法のうちヒーター加熱式の給湯器のヒーターを取り付けているフランジをヒートポンプ式給湯器の配管に接続するフランジの説明図である。
【図３】本発明のヒーター加熱式給湯器の再生施工をした給湯器の斜視図である。
【図４】本発明のヒーター加熱式給湯器の再生施工工法の実施例２を示した説明図である。
【図５】本発明のヒーター加熱式給湯器の再生施工工法の実施例３を示した説明図である。
【図６】本発明のヒーター加熱式給湯器の再生施工工法の実施例４を示した説明図である。
【発明を実施するための形態】
【００１４】
ヒーター加熱式の給湯器を容易にヒートポンプ式給湯器に換えるという目的を、ヒートポンプユニットからの熱水を導入することにより実現している。
図１は、本発明装置のヒーター加熱式給湯器の再生施工工法の実施例１を示しており、貯湯タンクに電熱ヒーターを備えたヒーター加熱式給湯器において、前記タンクの電熱ヒーターホルダＡにヒートポンプユニットHPUからの熱水を導入する熱水導入パイプ付属ホルダＨを設けている。
【００１５】
ヒートポンプユニットHPUはヒートポンプＨＰに熱変換装置ＨＣを備えた従来公知のものを使用でき、本発明ではヒーター加熱式の給湯器のヒーターを取り付けているフランジＡをヒートポンプ式給湯器の配管に容易に接続するので、ヒートポンプユニットHPUの詳細な説明は省略する。
【００１６】
貯湯タンクＴ内のヒートポンプユニットからの熱水導入パイプＧの高熱水導入口側ＨＷを低温水排出口側ＬＷよりも高位置に設けることによって温水取り出し口Ｄ側の湯温度低下が防止される。
【００１７】
更に、本発明の再生施工工法では貯湯タンクＴ内のヒートポンプユニットからの熱水導入パイプＧを低熱伝導構造にする。ここにいう低熱伝導構造にするとは、せっかく高温でタンク内に入ったヒートポンプユニットからの熱が貯湯タンク内の底部の低温領域で奪われることを防ぐためである。低熱伝導構造にする必要性が特に高い部位としてはタンク内底部の低温域内が特に適しているが、構造としては熱が伝わり難い断熱材Ｆ、例えば複層の合成樹脂、独立気泡を有する発泡体等が好ましく、単に低熱伝導度の合成樹脂パイプでもよい。
【００１８】
なお、熱水導入パイプＧは図１のように貯湯タンクＴ内の上部に至る長尺ものであっても、また、図４のように短いものであってもよい。図面中に示すＢはヒートポンプユニットHPUとの接続用ネジ山も有する湯側ＨＷフランジを貫通して取り付ける為のネジ山付パイプである。Ｃは低温水ＬＷ側フランジを貫通して取り付ける為のネジ山付パイプである。Ｅは低温水の取り出し口である。ＪはフランジＡの取り付け孔である。Ｈは熱水導入パイプ付属ホルダのナットである。
【符号の説明】
【００１９】
HPU    ヒートポンプユニット
Ｈ    ヒートポンプユニットからの熱水を導入する熱水導入パイプ付属ホルダ
Ａ    フランジ
Ｂ    湯側フランジを貫通して取り付ける為のネジ山付パイプ
Ｃ    低温水側フランジを貫通して取り付ける為のネジ山付パイプ    
Ｆ    断熱材
Ｔ    貯湯タンク
【要約】
【課題】
既存のヒーター加熱式の給湯器を容易にヒートポンプ式の給湯器に換えることができる給湯器の再生施工工法を提供する。
【解決手段】
通電によって貯湯タンク内を電熱ヒーターで加熱するヒーター加熱式給湯器の老朽化廃棄や節電のための交換に際し、ヒーター加熱式給湯器の貯湯タンクを残してそのまま用い、ヒートポンプユニットからの熱水を貯湯タンク内の高温域まで導入するように配管するヒーター加熱式給湯器の再生施工工法である。
【選択図】図１【図１】
0005214817.tif 000002
【図２】
0005214817.tif 000003
【図３】
0005214817.tif 000004
【図４】
0005214817.tif 000005
【図５】
0005214817.tif 000006
【図６】
0005214817.tif 000007